(57)【要約】【課題】携帯電話端末とＷＥＢサーバとの間において特別な取り決めを行うことなくＨＴＭＬ絵文字情報等を含む特殊記号のダウンロード行うことができる通信装置、特殊記号受信方法及び制御プログラムを提供すること【解決手段】本発明にかかる通信装置は、ユーザーから入力されたデータを表示する表示部２０と、特殊記号格納サーバ５０から受信した特殊記号を保存する特殊記号保存部４０と、入力されたデータを表示する入力データ表示領域と、特殊記号格納サーバ５０に格納されている特殊記号の一覧ページを受信し、特殊記号の一覧ページを表示する特殊記号表示領域とを含むデータ入力画面を表示部２０に表示させる表示制御部３０と、を備え、表示制御部３０は、特殊記号保存部４０に保存可能な特殊記号データの容量に応じて特殊記号表示領域における特殊記号の一覧ページに表示させる特殊記号の数を決定するものである。【選択図】図１
2012080435.tif 000002
【特許請求の範囲】
【請求項１】
ユーザーから入力されたデータを表示する表示部と、
特殊記号格納サーバから受信した特殊記号を保存する第１の特殊記号保存部と、
前記ユーザーから入力されたデータを表示する入力データ表示領域と、前記特殊記号格納サーバに格納されている特殊記号の一覧ページを前記特殊記号格納サーバから受信し、当該特殊記号の一覧ページを表示する特殊記号表示領域と、を含むデータ入力画面を前記表示部に表示させる表示制御部と、を備え、
前記表示制御部は、
前記第１の特殊記号保存部に保存することができる特殊記号データの容量に応じて、前記特殊記号表示領域における特殊記号の一覧ページに表示させる特殊記号の数を決定する、通信装置。
【請求項２】
ユーザーが入力することができる特殊記号を予め保存する第２の特殊記号保存部をさらに備え、
前記表示制御部は、
前記第２の特殊記号保存部に保存されている特殊記号を、前記特殊記号の一覧ページに加えて表示させる、請求項１記載の通信装置。
【請求項３】
前記表示制御部は、
前記特殊記号の一覧ページにおける特殊記号の表示にサムネイル画像を用いた一覧ページを前記特殊記号格納サーバから受信し、前記表示部に表示させる請求項１又は２記載の通信装置。
【請求項４】
前記ユーザーによって前記特殊記号のサムネイル画像が選択された場合、前記特殊記号のサムネイル画像に対応付けられている特殊記号データを、前記特殊記号格納サーバから受信する特殊記号取得部をさらに備える、請求項３記載の通信装置。
【請求項５】
特殊記号格納サーバに格納されている特殊記号データの一覧ページを受信するステップと、
前記特殊記号データを格納する特殊記号保存部のデータ容量に応じて前記受信する特殊記号データの数を決定し、当該決定された数の特殊記号データを受信するステップと、
前記受信した特殊記号データを前記特殊記号データの一覧ページに表示させるステップと、を備える特殊記号受信方法。
【請求項６】
前記受信した特殊記号を前記特殊記号データの一覧ページに表示させるステップにおいて、予め保存されている特殊記号を前記一覧ページに追加して、表示させるステップをさらに備える請求項５記載の特殊記号受信方法。
【請求項７】
特殊記号格納サーバに格納されている特殊記号データの一覧ページを受信するステップと、
前記特殊記号データを格納する特殊記号保存部のデータ容量に応じて前記受信する特殊記号データの数を決定し、当該決定された数の特殊記号データを受信するステップと、
前記受信した特殊記号データを前記特殊記号データの一覧ページに表示させるステップと、コンピュータに実行させる制御プログラム。
【発明の詳細な説明】
【技術分野】
【０００１】
本発明は通信装置、特殊記号受信方法及び制御プログラムに関し、特に特殊記号を表示する通信装置、その特殊記号を取得する特殊記号受信方法及びその通信装置に用いられる制御プログラムに関する。
【背景技術】
【０００２】
現在、携帯電話を利用してメールを送受信することが日常生活において一般的になっている。しかし、最近では絵文字を含む文字だけでなく、画像を挿入してメール本文の内容を装飾できるＨＴＭＬ（Hyper Text Markup Language）メール機能を搭載している携帯電話も一般的になっている。
【０００３】
ＨＴＭＬメールは、メール本文全体を装飾するのは大袈裟であったり、また装飾するのにも手間がかかるために利用されない場合もある。その一方、通常の絵文字だけではバリエーションが少ないために物足りないと感じるユーザーにとっては、絵文字を拡張した絵文字（以後、ＨＴＭＬ絵文字と呼ぶ。）を使ったＨＴＭＬメールの利用機会、ニーズが増えている。
【０００４】
このＨＴＭＬ絵文字は、ＨＴＭＬメールとして挿入することができるアニメーションＧＩＦ形式であり、縦横サイズが決まったファイルである。ＨＴＭＬ絵文字は、あらかじめ携帯電話に内蔵されているだけでなく、ＷＥＢからのダウンロードや、受信したメールに含まれるＨＴＭＬ絵文字を利用したりすることができたりするため、汎用性の高いものとなっている。なお、ＨＴＭＬ絵文字は、株式会社ＮＴＴドコモが提供する携帯電話サービスでは、「デコメ絵文字（登録商標）」、ソフトバンクモバイル株式会社が提供する携帯電話サービスでは「マイ絵文字」と呼ばれている。
【０００５】
ＨＴＭＬ絵文字の利用方法として、メール文章を作成中にＨＴＭＬ絵文字を入力するためには、専用の入力モードからＨＴＭＬ絵文字リストを呼び出し、一覧の中から使いたいＨＴＭＬ絵文字を選択してメール本文に挿入を行う。そのため、予め搭載されているＨＴＭＬ絵文字が魅力的なものでない場合は、ユーザーはＷＥＢで提供しているＣＰ（Contents Provider）からＨＴＭＬ絵文字を予めダウンロードしておく必要がある。
【０００６】
特許文献１には、端末が表示することができる絵文字とは異なる絵文字を使用しているコンテンツを端末上において正しく表示できるようにするために、コンテンツに用いられている絵文字が端末においてサポートされている絵文字か否かを判定し、サポートされていない絵文字であると判定された場合、絵文字情報サーバ又はＷＥＢサーバから絵文字データの情報を取得するシステムが開示されている。
【先行技術文献】
【特許文献】
【０００７】
【特許文献１】特開２００４−１５１７７４号公報
【発明の概要】
【発明が解決しようとする課題】
【０００８】
ここで、携帯電話端末等は、ＷＥＢサーバからＨＴＭＬ絵文字データをダウンロードし、ＨＴＭＬ絵文字データを一時的にメモリ等に保存することにより、携帯電話端末上にＨＴＭＬ絵文字の一覧を表示することができる。しかし、ＷＥＢサーバ上のＨＴＭＬ絵文字データは、多種多様なユーザーの需要に対応できるようにするために、携帯電話端末に搭載することができるＨＴＭＬ絵文字データよりはるかに多いデータ数を保有しているのが一般的である。そのため、そのすべてのＷＥＢサーバにおいて保存されているＨＴＭＬ絵文字データを一時的に保存できるほど端末のメモリ容量を確保できないのが一般的である。
【０００９】
例えば、一時的に携帯電話端末に保存できるＨＴＭＬ絵文字データ数が１００個、ＷＥＢサーバ上にＨＴＭＬ絵文字が２００、０００個保有されているとする。この場合、ユーザーは、使いたいＨＴＭＬ絵文字を見つけるまで、１００個ずつダウンロードする作業を２０００回繰り返す必要がある。
【００１０】
しかし、この方法は実際のサービスとしては現実的でない。通常ＷＥＢサーバにおいては、ＨＴＭＬ絵文字が例えばジャンル分けされて保存されている。このようにすることにより、ユーザーが所望のＨＴＭＬ絵文字データを探し出しやすくするようにジャンルを絞り込めるようになっている。
【００１１】
その場合、どのジャンルのＨＴＭＬ絵文字データをダウンロードするかという「ジャンル」情報を携帯電話端末からＷＥＢサーバへ通知する必要がある。さらにあるジャンルのＨＴＭＬ絵文字がＷＥＢサーバ上に１、０００個あったとすると、その１、０００個のうちどの１００個をダウンロードするかという「ダウンロード個数」又は「ダウンロード範囲」の情報を携帯電話端末からＷＥＢサーバへ通知する必要がある。そのため、携帯電話端末とＷＥＢサーバにてその情報内容について取り決めなければならないという問題がある。さらにその取り決めに従うと仮定した場合、ＷＥＢサーバは様々な数多くの携帯電話端末からの数種類の情報通知に応じて、携帯電話端末へ所望のデータを送信する機能を搭載しなければならないという問題がある。
【００１２】
本発明は、このような問題を解決するためになされたものであり、携帯電話端末とＷＥＢサーバとの間において特別な取り決め等を行うことなくＨＴＭＬ絵文字情報等を含む特殊記号のダウンロード行うことができる通信装置、特殊記号受信方法及び制御プログラムを提供することを目的とする。
【課題を解決するための手段】
【００１３】
本発明の第１の態様にかかる通信装置は、ユーザーから入力されたデータを表示する表示部と、特殊記号格納サーバから受信した特殊記号を保存する第１の特殊記号保存部と、前記ユーザーから入力されたデータを表示する入力データ表示領域と、前記特殊記号格納サーバに格納されている特殊記号の一覧ページを前記特殊記号格納サーバから受信し、当該特殊記号の一覧ページを表示する特殊記号表示領域とを含むデータ入力画面を前記表示部に表示させる表示制御部と、を備え、前記表示制御部は、前記第１の特殊記号保存部に保存することができる特殊記号データの容量に応じて、前記特殊記号表示領域における特殊記号の一覧ページに表示させる特殊記号の数を決定するものである。
【００１４】
本発明の第２の態様にかかる特殊記号受信方法は、特殊記号格納サーバに格納されている特殊記号データの一覧ページを受信するステップと、前記特殊記号データを格納する特殊記号保存部のデータ容量に応じて前記受信する特殊記号データの数を決定し、当該決定された数の特殊記号データを受信するステップと、前記受信した特殊記号データを前記特殊記号データの一覧ページに表示させるステップと、を備えるものである。
【００１５】
本発明の第３の態様にかかる制御プログラムは、特殊記号格納サーバに格納されている特殊記号データの一覧ページを受信するステップと、前記特殊記号データを格納する特殊記号保存部のデータ容量に応じて前記受信する特殊記号データの数を決定し、当該決定された数の特殊記号データを受信するステップと、前記受信した特殊記号データを前記特殊記号データの一覧ページに表示させるステップと、コンピュータに実行させるものである。
【発明の効果】
【００１６】
本発明により、携帯電話端末とＷＥＢサーバとの間において特別な取り決め等を行うことなくＨＴＭＬ絵文字情報等を含む特殊記号のダウンロード行うことができる通信装置、特殊記号受信方法及び制御プログラムを提供することができる。
【図面の簡単な説明】
【００１７】
【図１】実施の形態１にかかる通信装置の構成図である。
【図２】実施の形態１にかかる携帯型通信端末の構成図である。
【図３】実施の形態１にかかるＨＴＭＬ絵文字の構成図である。
【図４】実施の形態１にかかる特殊記号格納サーバの構成図である。
【図５】実施の形態１にかかる携帯電話システムの構成図である。
【図６】実施の形態１にかかる携帯型通信端末におけるＨＴＭＬ絵文字一覧の表示処理に関するフローチャートである。
【図７】実施の形態１にかかるＨＴＭＬ絵文字入力における画面の遷移図である。
【発明を実施するための形態】
【００１８】
（実施の形態１）
以下、図面を参照して本発明の実施の形態について説明する。図１を用いて本発明の自紙の形態１にかかる通信装置の構成例について説明する。通信装置１０は、表示部２０と、表示制御部３０と、特殊記号保存部４０とを備えている。また、通信装置１０は、特殊記号格納サーバ５０と無線回線又は有線回線を用いて通信を行う。
【００１９】
通信装置１０は、無線回線又は有線回線を用いて、他の通信装置もしくはサーバ装置等と通信を行う。無線回線とは、移動通信事業者が有する基地局装置等との間に設定される無線回線や、無線ＬＡＮ通信においてアクセスポイントとの間に設定される無線回線等がある。また、有線回線とは、インターネット回線や電話回線等がある。通信装置１０は、例えば携帯電話端末や、スマートフォン端末、ノート型パーソナルコンピュータ等の携帯型通信端末、又は、デスクトップ型パーソナルコンピュータ等であって、通信機能を備えた端末である。
【００２０】
表示部２０は、ユーザーから入力されたデータを表示する。例えば、表示部２０は、液晶ディスプレイ等のディスプレイ装置である。表示部２０は、携帯電話端末等のように、携帯電話端末の本体に一体として組み込まれていてもよく、デスクトップ型パーソナルコンピュータのように、パーソナルコンピュータ本体とケーブル等により接続された外付けのディスプレイ装置等であってもよい。ユーザーは、ボタン操作、キーボード操作又はタッチパネル操作等によりデータの入力を行う。
【００２１】
特殊記号保存部４０は、特殊記号格納サーバ５０から受信した特殊記号を保存する。特殊記号格納サーバ５０は、通信装置１０と無線回線又は有線回線を用いて通信を行うサーバ装置である。また、特殊記号とは、装飾処理が施された記号又は文字、図形又は図形及び記号等の組み合わせ、もしくは、絵文字等を含む。絵文字とは、平仮名、片仮名又はアルファベット等を用いて伝える文字の意味を、図形、記号又はこれらの組み合わせ等を用いて簡略化して表現された表示態様である。また、絵文字は、通信事業者毎に文字コードと対応付けられて定義されている絵文字や、上述したＨＴＭＬ絵文字等がある。
【００２２】
特殊記号保存部４０は、通信装置１０に内蔵されているＲＡＭ又はＲＯＭ等のメモリであってもよく、通信装置１０に外付けされる外部記憶メモリ等であってもよい。
【００２３】
表示制御部３０は、ユーザーから入力されたデータを表示する入力データ表示領域と、特殊記号格納サーバ５０に格納されている特殊記号の一覧ページを特殊記号格納サーバ５０から受信し、当該特殊記号の一覧ページを表示する特殊記号表示領域とを含むデータ入力画面を表示部２０に表示させる。入力データ表示領域とは、表示部２０の一部の画面領域であって、ユーザーから入力された文字データ、又は文章等が表示されている領域である。特殊記号表示領域とは、表示部２０の一部の画面領域であって、ユーザーが入力データ表示領域に表示させる特殊記号を選択することができるように、特殊記号の一覧ページが表示されている領域である。特殊記号の一覧ページとは、特殊記号格納サーバ５０に格納されている特殊記号の一覧を示しており、ユーザーによるスクロール操作等により、特殊記号表示領域に表示される特殊記号を変更することができる。
【００２４】
表示制御部３０は、ＣＰＵ又はＭＰＵ等により構成される。表示制御部３０を構成するＣＰＵ又はＭＰＵ等は、メモリ等に保存されているプログラムを実行することにより通信装置の動作を制御する。
【００２５】
また、表示制御部３０は、特殊記号保存部４０に保存することができる特殊記号データの容量に応じて、特殊記号表示領域における特殊記号の一覧ページに表示させる特殊記号の数を決定する。特殊記号保存部４０に保存することができる特殊記号データの容量とは、特殊記号保存部４０の記憶容量に応じて定まる。ここで、特殊記号保存部４０は、特殊記号保存部４０全体の記憶容量を用いて特殊記号格納サーバ５０から受信した特殊記号を保存してもよい。もしくは、特殊記号保存部４０は、特殊記号保存部４０の一部の記憶領域を、特殊記号格納サーバ５０から受信した特殊記号を保存する領域として設定してもよい。
【００２６】
以上説明したように、図１にかかる通信装置１０を用いることにより、特殊記号格納サーバ５０は、作成した特殊記号の一覧ページを通信装置１０へ送信し、通信装置１０は、受信した特殊記号の一覧ページのうち、特殊記号保存部４０のデータ容量に応じて表示部２０に表示させる特殊記号の数を決定することができる。これにより、通信装置１０が特殊記号格納サーバ５０から特殊記号を受信するにあたり、通信装置１０と特殊記号格納サーバ５０との間に特別な取り決めを行う必要がなく、それぞれの装置単体の処理を実行することにより、通信装置１０は、特殊記号格納サーバ５０に格納されている特殊記号を用いることができる。
【００２７】
続いて、図２を用いて本発明の実施の形態１にかかる携帯型通信端末の構成例について説明する。携帯型通信端末１２は、表示部２０と、表示制御部３０と、ＨＴＭＬ絵文字データ４２と、内蔵ＷＥＢページ４４と、キー入力部６１と、文字入力処理部６２と、ＨＴＭＬ処理部６３と、無線部６４と、アンテナ６５と、を備えている。表示部２０及び表示制御部３０は、図１における表示部２０及び表示制御部３０と同様であるため、詳細な説明を省略する。
【００２８】
携帯型通信端末１２は、上述したように、例えば携帯電話端末や、スマートフォン端末、ノート型パーソナルコンピュータ等である。
【００２９】
ＨＴＭＬ絵文字データ４２は、ＨＴＭＬ絵文字データを格納している。図２においては、特殊記号の一例としてＨＴＭＬ絵文字を用いて説明する。ＨＴＭＬ絵文字データ４２に格納されているＨＴＭＬ絵文字データは、特殊記号格納サーバ５０からダウンロードしたＨＴＭＬ絵文字データでもよく、あらかじめ携帯型通信端末１２に保存されているＨＴＭＬ絵文字データであってもよい。ここで、図３を用いて、ＨＴＭＬ絵文字データ４２に格納されているＨＴＭＬ絵文字の例について説明する。
【００３０】
ＨＴＭＬ絵文字は、予め携帯型通信端末１２に搭載されている絵文字と、ユーザーが予めダウンロードしたＨＴＭＬ絵文字と、データ入力を行う際にダウンロードしたＷＥＢサーバ上のＨＴＭＬ絵文字とから構成される。予め搭載された絵文字とは、携帯型通信端末１２の製造時において、予め搭載される絵文字である。つまり、予め搭載された絵文字とは、携帯型通信端末１２にプリインストールされた絵文字である。ユーザーが予めダウンロードしたＨＴＭＬ絵文字とは、ユーザーがＨＴＭＬ絵文字を提供しているＷＥＢサーバ等へ予めアクセスし、ダウンロードしたＨＴＭＬ絵文字である。データ入力を行う際にダウンロードしたＷＥＢサーバ上のＨＴＭＬ絵文字とは、ユーザーがデータ入力をしている際に、ＷＥＢサーバ等からＨＴＭＬ絵文字をダウンロードし、一時的に格納されているＨＴＭＬ絵文字である。データ入力を行う際にダウンロードしたＷＥＢサーバ上のＨＴＭＬ絵文字は、ＨＴＭＬ絵文字を一時的に保存するヒープ領域に保存される。また、上述したそれぞれの絵文字は、物理的に異なるメモリ等に保存されてもよく、同一のメモリに保存されてもよい。
【００３１】
図２に戻り、内蔵ＷＥＢページ４４は、ＨＴＭＬ絵文字データ４２に格納されているＨＴＭＬ絵文字を一覧に表示するＷＥＢページを生成する。具体的には、内蔵ＷＥＢページ４４は、図３における、予め携帯型通信端末１２に搭載されている絵文字と、ユーザーが予めダウンロードしたＨＴＭＬ絵文字との一覧のリストを表示するＷＥＢページである。データ入力を行う際にダウンロードしたＷＥＢサーバ上のＨＴＭＬ絵文字の一覧リストを表示するＷＥＢページは、特殊記号格納サーバ５０から受信する。
【００３２】
ＨＴＭＬ処理部６３は、ＨＴＭＬ絵文字データの一覧リストを示すＷＥＢページを解釈する。つまり、ＨＴＭＬ処理部６３は、内蔵ＷＥＢページ４４によって生成されるＷＥＢページ又は特殊記号格納サーバ５０から受信するＷＥＢページを読み込み、表示制御部３０へ出力する。ＨＴＭＬ処理部６３は、無線部６４及びアンテナ６５を介して、特殊記号格納サーバ５０からＷＥＢサーバ上のＨＴＭＬ絵文字の一覧リストを表示するＷＥＢページを受信する。さらに、ＨＴＭＬ処理部６３は、受信したＷＥＢページにリンクとして設定されているＨＴＭＬ絵文字データを、特殊記号格納サーバ５０から受信して、ＨＴＭＬ絵文字データ４２へ格納する。
【００３３】
キー入力部６１は、ユーザーからのデータの入力を受け付け、ユーザーから入力されたデータを文字入力処理部６２へ出力する。文字入力処理部６２は、キー入力部６１から出力されたデータを文字情報等に変換して、表示制御部３０へ出力する。
【００３４】
表示制御部３０は、文字入力処理部６２から出力された文字情報等をデータ入力画面の入力データ表示領域へ表示させるように制御を行う。また、表示制御部３０は、ＨＴＭＬ処理部６３から出力されたＷＥＢページをデータ入力画面の特殊記号表示領域へ表示させるように制御を行う。また、表示制御部３０は、ＨＴＭＬ絵文字データ４２へ格納することができたＨＴＭＬ絵文字データが示される一覧リストを特殊記号表示領域へ表示する。ＨＴＭＬ絵文字データ４２へ格納することができるＨＴＭＬ絵文字データは、ＨＴＭＬ絵文字データ４２のデータ容量に応じて決定される。このようにすることにより、表示制御部３０は、入力データ表示領域と、ＷＥＢページを表示する特殊記号表示領域とを同時に表示させることができる。また、表示制御部３０は、入力データ表示領域と特殊記号表示領域とを異なる画面により表示させてもよい。この場合、ユーザーの操作に応じて、入力データ表示領域を表示する画面と、特殊記号表示領域を表示する画面とを切り替えるようにしてもよい。
【００３５】
続いて、図４を用いて本発明の実施の形態１にかかる特殊記号格納サーバの構成例について説明する。特殊記号格納サーバ５０は、制御部５２と、ＨＴＭＬ絵文字データ５４と、ＷＥＢページ５６と、データ送受信部５８とを備えている。
【００３６】
ＨＴＭＬ絵文字データ５４は、携帯電話端末等の通信端末に対して提供するＨＴＭＬ絵文字データを格納している。ＨＴＭＬ絵文字データ５４は、携帯型通信端末１２におけるメモリよりも大容量のメモリを用いて構成される。そのため、ＨＴＭＬ絵文字データ５４は、携帯型通信端末１２のＨＴＭＬ絵文字データ４２に格納されるＨＴＭＬ絵文字より多くのＨＴＭＬ絵文字を格納している。
【００３７】
ＷＥＢページ５６は、ＨＴＭＬ絵文字データ５４に格納されているＨＴＭＬ絵文字の一覧をリスト表示するＨＴＭＬ形式のＷＥＢページを生成する。データ送受信部５８は、外部装置とのデータの送受信を行う。データの送受信は、無線回線を用いてもよく、有線回線を用いてもよい。外部装置とは、例えば携帯型通信端末１２等の通信端末や、サーバ装置等であってもよい。データ送受信部５８は、携帯型通信端末１２に対して、ＷＥＢページ５６において生成されたＷＥＢページと、ＨＴＭＬ絵文字データ５４に格納されているＨＴＭＬ絵文字データとを送信する。制御部５２は、ＨＴＭＬ絵文字データ５４と、ＷＥＢページ５６と、データ送受信部５８との動作を制御する。
【００３８】
続いて、図５を用いて本発明の実施の形態１にかかるシステム構成例について説明する。実施の形態１にかかるシステムは、携帯電話端末１４と、基地局７０と、Ｐｒｏｘｙサーバ７１と、ＷＥＢサーバ７２と、ＣＰ７３〜７５とを備えている。
【００３９】
携帯電話端末１４は、基地局７０を介して通信会社が構築しているオペレータ網のＰｒｏｘｙサーバ７１へアクセスする。さらに、携帯電話端末１４はＰｒｏｘｙサーバ７１を経由してＷＥＢサーバ７２へアクセスする。ここで、ＣＰ７３〜７５は、ＷＥＢサーバ７２に対してＨＴＭＬ絵文字データを提供する。つまり、ＣＰ７３〜７５は、ＷＥＢサーバ７２に対してＨＴＭＬ絵文字データを送信する。ＷＥＢサーバ７２は、提供されたＨＴＭＬ絵文字データの一覧ページを生成し、携帯電話端末１４へ送信する。携帯電話端末１４は、受信したＨＴＭＬ絵文字データの一覧ページを表示する。図４において説明したＨＴＭＬ絵文字データ５４に格納されているＨＴＭＬ絵文字データは、図５において説明したように、ＣＰ７３〜７５から提供されてもよく、はじめからＨＴＭＬ絵文字データ５４に格納されていてもよい。
【００４０】
続いて、図６を用いて本発明の実施の形態１にかかる携帯型通信端末１２のＨＴＭＬ絵文字一覧の表示処理の流れについて説明する。はじめに、携帯型通信端末１２の制御部（図示せず）は、ユーザーによってＨＴＭＬ絵文字一覧の呼び出しが発生したか否かを検出する（Ｓ１０１）。つまり、ユーザーによるデータ入力において、ＨＴＭＬ絵文字の選択に用いられる特殊記号表示領域が起動されたか否かを検出する。
【００４１】
制御部は、ＨＴＭＬ絵文字一覧の呼び出しを検出しなかった場合、ステップＳ１０１の処理を繰り返す。制御部は、ＨＴＭＬ絵文字一覧の呼び出しを検出した場合、ユーザーによってＷＥＢサーバ上のＨＴＭＬ絵文字が呼び出されているか否かを判定する（Ｓ１０２）。
【００４２】
ステップＳ１０２において、ＷＥＢサーバ上のＨＴＭＬ絵文字が呼び出されていると判定された場合、携帯型通信端末１２は、無線部６４及びアンテナ６５を介して、特殊記号格納サーバ５０のＵＲＬを指定してアクセスを実行する（Ｓ１０３）。特殊記号格納サーバ５０のＵＲＬは、ＨＴＭＬ処理部６３において予め設定されていてもよい。
【００４３】
次に、ＨＴＭＬ処理部６３は、特殊記号格納サーバ５０からＨＴＭＬ形式のＷＥＢページのダウンロードが完了したか否かを検出する（Ｓ１０４）。ダウンロードが完了していない場合、携帯型通信端末１２は、ダウンロードを継続するため、ステップＳ１０４の処理を繰り返す。ダウンロードが完了した場合、ＨＴＭＬ処理部６３は、ＷＥＢページの解析を行う（Ｓ１０６）。ダウンロードされたＷＥＢページは、ＨＴＭＬ絵文字をリスト表示するだけの簡易な内容である。そのため、ＨＴＭＬ処理部６３は、ＷＥＢページのＨＴＭＬデータ内にリンクとして設定されている特殊記号格納サーバ５０から、ＨＴＭＬ絵文字データをダウンロードする。ダウンロードされたＨＴＭＬ絵文字は、ＨＴＭＬ絵文字データ４２へ格納される。
【００４４】
次に、表示制御部３０は、特殊記号格納サーバ５０からダウンロードしたＷＥＢページを特殊記号表示領域へ表示させる（Ｓ１０７）。この時、表示制御部３０は、ＨＴＭＬ絵文字データ４２へ格納されたＨＴＭＬ絵文字の一覧を特殊記号表示領域へ表示する。ＨＴＭＬ絵文字データ４２に格納されたＨＴＭＬ絵文字には、予め搭載されている絵文字や、ユーザーが以前にダウンロードしていたＨＴＭＬ絵文字も含まれる。そのため、ＨＴＭＬ処理部６３は、特殊記号格納サーバ５０からダウンロードしたＷＥＢページに、内蔵ＷＥＢページ４４において作成されたＷＥＢページにおけるＨＴＭＬ絵文字の一覧リストを追加して表示制御部３０へＷＥＢページデータを出力するようにしてもよい。この場合、表示制御部３０は、ＨＴＭＬ処理部６３から出力されたＷＥＢページを特殊記号表示領域へ表示させる。このようにすることにより、特殊記号格納サーバ５０に格納されているＨＴＭＬ絵文字と、携帯型通信端末１２に格納されているＨＴＭＬ絵文字との入力インタフェースを同一にすることができる。
【００４５】
次に、携帯型通信端末１２の制御部は、データ入力画面を用いてデータの入力を受け付けるメールアプリケーションが終了したか否かを検出する（Ｓ１０８）。メールアプリケーションが終了していない場合は、ステップＳ１０８の処理を繰り返す。メールアプリケーションが終了した場合、ＨＴＭＬ処理部６３は、ＨＴＭＬ絵文字データ４２へ一時的に保存したＨＴＭＬ絵文字データを削除する（Ｓ１０９）。つまり、ＨＴＭＬ処理部６３は、ヒープ領域に格納されたデータであって、特殊記号格納サーバ５０から受信した絵文字データを、メールアプリケーションの終了を検出するとともに削除する。
【００４６】
ステップＳ１０２において、ＷＥＢ上のＨＴＭＬ絵文字データではなく、携帯型通信端末１２に格納されている絵文字データが呼び出された場合、ＨＴＭＬ処理部６３は、内蔵ＷＥＢページ４４において生成されたＷＥＢページを受け取り、表示制御部３０へ出力する（Ｓ１０５）。
【００４７】
続いて、図７を用いて本発明の実施の形態１にかかるアプリケーションの画面遷移について説明する。はじめに、ユーザーがメールアプリケーションを立ち上げることにより、表示制御部３０は、図７(ａ)の新規メール作成画面を表示部２０へ表示させる。次に、ユーザーは、図７(ｂ)の本文入力画面において、メール本文の入力を行う。ユーザーの入力した文字が表示される本文入力画面の上半分の領域は、入力データ表示領域に該当する。
【００４８】
次に、ユーザーは、「うれしい」と入力した後に、画面の下半分の領域に示される図７(ｃ)のＨＴＭＬ絵文字一覧ページを呼び出す。ＨＴＭＬ絵文字一覧ページは、特殊記号表示領域へ表示される。また、ユーザーは、ＨＴＭＬ絵文字一覧を呼び出す際に、特殊記号格納サーバ５０に格納されている絵文字一覧を呼び出すか、携帯型通信端末１２に内蔵されている絵文字一覧を呼び出すかを選択することができる。また、特殊記号格納サーバ５０に格納されている絵文字一覧を呼び出す際に、特殊記号格納サーバ５０から受信したＨＴＭＬ絵文字データを表示するＷＥＢページに、携帯型通信端末１２に内蔵されている絵文字一覧を追加して、特殊記号表示領域へ表示するようにしてもよい。
【００４９】
次に、ユーザーは、ＨＴＭＬ絵文字一覧からＨＴＭＬ絵文字を選択することにより、図図７(ｄ)のようにメール本文入力画面に、選択されたＨＴＭＬ絵文字が「うれしい」の直後に挿入される。
【００５０】
（実施の形態２）
本発明の実施の形態２においては、特殊記号表示領域に表示されるＷＥＢページに、ＨＴＭＬ絵文字のサムネイル画像を表示する例について説明する。特殊記号格納サーバ５０のＷＥＢページ５６は、ＨＴＭＬ絵文字の一覧において、ＨＴＭＬ絵文字のサムネイル画像を表示させるようにＷＥＢページを生成する。この際に、サムネイル画像のリンク先をＨＴＭＬ絵文字データ５４に設定する。
【００５１】
このようにすることにより、ユーザーによってサムネイル画像が選択された場合に、携帯型通信端末１２は、当該サムネイル画像にかかるＨＴＭＬ絵文字を特殊記号格納サーバ５０からダウンロードすることができる。これより、ユーザーによって選択されたＨＴＭＬ絵文字のみをダウンロードするため、ＨＴＭＬ絵文字データを格納するヒープ領域のデータ削減を実現することができる。また、携帯型通信端末１２と特殊記号格納サーバ５０との間の通信量を削減することができる。さらに、携帯型通信端末１２は、特殊記号格納サーバ５０からダウンロードするデータ量を減少させることにより、ダウンロード時間の短縮も実現することができる。
【００５２】
上述の実施の形態では、本発明をハードウェアの構成として説明したが、本発明は、これに限定されるものではない。本発明は、図６において説明した処理を、ＣＰＵ（Central Processing Unit）にコンピュータプログラムを実行させることにより実現することも可能である。
【００５３】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５４】
なお、本発明は上記実施の形態に限られたものではなく、趣旨を逸脱しない範囲で適宜変更することが可能である。
【符号の説明】
【００５５】
１０  通信装置
１２  携帯型通信端末
１４  携帯電話端末
２０  表示部
３０  表示制御部
４０  特殊記号保存部
４２  ＨＴＭＬ絵文字データ
４４  内蔵ＷＥＢページ
５０  特殊記号格納サーバ
５２  制御部
５４  ＨＴＭＬ絵文字データ
５６  ＷＥＢページ
５８  データ送受信部
６１  キー入力部
６２  文字入力処理部
６３  ＨＴＭＬ処理部
６４  無線部
６５  アンテナ
７０  基地局
７１  Ｐｒｏｘｙサーバ
７２  ＷＥＢサーバ
７３〜７５  ＣＰ
【図１】
2012080435.tif 000003
【図２】
2012080435.tif 000004
【図３】
2012080435.tif 000005
【図４】
2012080435.tif 000006
【図５】
2012080435.tif 000007
【図６】
2012080435.tif 000008
【図７】
2012080435.tif 000009